(57)【要約】      （修正有）【課題】必要に応じて途中を簡単に分離できるとともに、釣作業中においては接続状態を確実に維持できる枝縄の連結具を提供する。【解決手段】釣作業用に使用する一方の幹縄の端部と他方の幹縄の端部とをそれぞれ巻き付け状態にした一方の幹縄連結部と他方の幹縄連結部とを互いに連結する幹縄の連結具１０において、一方の幹縄連結部を密着状態で保持する第１の幹縄密着部１４が形成されるとともに、第１の幹縄密着部の反対側の表面に前記第１の幹縄連結部１１を装着する第１の幹縄保持部１３ａが形成されるとともに、他方の幹縄連結部を密着状態で保持する第２の幹縄密着部１５が形成されるとともに、第２の幹縄密着部の反対側の表面に第２の幹縄連結部１２を装着する第２の幹縄保持部１３ｂが形成される。【選択図】図１
0003159348.tif 000002
【実用新案登録請求の範囲】
【請求項１】
釣作業用に使用する一方の幹縄の端部と他方の幹縄の端部とをそれぞれ巻き付け状態にした一方の幹縄連結部と他方の幹縄連結部とを互いに連結する幹縄の連結具において、
前記一方の幹縄連結部を密着情態で保持する第１の幹縄密着部が形成されるとともに、該第１の幹縄密着部の反対側の表面に前記第１の幹縄連結部を装着する第１の幹縄保持部が形成されるとともに、前記他方の幹縄連結部を密着情態で保持する第２の幹縄密着部が形成されるとともに、該第２の幹縄密着部の反対側の表面に前記第２の幹縄連結部を装着する第２の幹縄保持部が形成されたことを特徴とする幹縄の連結具。
【請求項２】
前記第１の幹縄密着部及び第２の幹縄密着部は、金属板材により一体に形成され、前記第１の幹縄密着部は、前記第１の幹縄連結部を一方の表面側で密着保持できる形状に形成され、前記第２の幹縄密着部は、前記第２の幹縄連結部を一方の表面側で密着保持できる形状に形成されたことを特徴とする請求項１に記載の幹縄の連結具。
【請求項３】
前記第１の幹縄保持部は、前記第１の幹縄密着部が形成された側と反対側の表面に第１の幹縄連結部に装着可能に取付けられ、前記第２の幹縄保持部は、前記第２の幹縄密着部が形成された側と反対側の表面に第２の幹縄連結部に装着可能に取付けられたことを特徴とする請求項１記載の幹縄の連結具。
【請求項４】
釣作業用に使用する幹縄に接続される枝縄であって、該枝縄の途中を連結状態で取付け及び取外し可能に形成した枝縄の連結具において、
一方の第１の枝縄連結部を密着情態で保持する第１の枝縄密着部が形成されるとともに、該第１の枝縄密着部の反対側の表面に前記第１の枝縄連結部を装着する第１の枝縄保持部が形成されるとともに、前記他方の枝縄連結部を密着情態で保持する第２の枝縄密着部が形成されるとともに、該第２の枝縄密着部の反対側の表面に前記第２の枝縄連結部を装着する第２の幹縄保持部が形成されたことを特徴とする枝縄の連結具。
【請求項５】
前記第１の枝縄密着部及び第２の枝縄密着部は、金属板材により一体に形成され、前記第１の枝縄密着部は、前記第１の枝縄連結部を一方の表面側で密着保持できる形状に形成され、前記第２の枝縄密着部は、前記第２の枝縄連結部を一方の表面側で密着保持できる形状に形成されたことを特徴とする請求項４に記載の枝縄の連結具。
【請求項６】
前記第１の枝縄保持部は、前記第１の枝縄密着部が形成された側と反対側の表面に第１の枝縄連結部に装着可能に取付けられ、前記第２の枝縄保持部は、前記第２の枝縄密着部が形成された側と反対側の表面に第２の枝縄連結部に装着可能に取付けられたことを特徴とする請求項４記載の枝縄の連結具。
【考案の詳細な説明】
【技術分野】
【０００１】
本考案は、大型の魚を釣るために使用する複数本の幹縄を互いに接続することができるとともに、釣作業中及び釣作業を終了したときに接続状態を確実に外すことができる幹縄の連結具、及び幹縄に取付けられる枝縄の途中を分離することができるとともに、釣作業を行うときに容易に接続できる枝縄の連結具に関するものである。
【背景技術】
【０００２】
従来、釣作業において大型の魚を釣るための幹縄は、例えば、１本が５０メートル程度の長さに形成されたものを、複数本を互いに接続して使用するようになっている。この幹縄を互いに接続する部分は、その幹縄の接続部分を互いに巻き付け状態に形成したものが使用される。このような幹縄として、まぐろ等の大型の魚を釣るために使用される延縄用幹縄が知られている（例えば、特許文献１参照）。このような幹縄は、複数本を互いに接続した状態で使用するものである。例えば、図８に示すように、互いに接続するための一方の幹縄１と、他方の幹縄２との端部側を、それぞれ一定の長さで結び付けた一方の巻き付け部１ａと、他方の巻き付け部２ａとを形成し、その一方の巻き付け部１ａと、他方の巻き付け部２ａとを互いに結び付け状態で接続する結び部３として使用することが一般的に行われている。また、これら互いに接続された幹縄１、２には、枝縄５が所定の間隔で取付けられている。この枝縄５は、一方側は幹縄１、２側において接続される連結具６が形成され、他方側には釣針７が取付けられたものである。
【０００３】
従来の幹縄１、２においては、一方の幹縄１と他方の幹縄２との端部側を、結び部３において、それぞれの幹縄１、２の巻き付け部１ａ、２ａを、互いに結び付け状態で接続するため、釣作業中あるいは引上げ作業中等において、その結び部３において巻き付け部１ａ、２ａの接続状態が強化され、釣作業終了後等において接続状態から簡単に分離することができないことがあった。また、従来の幹縄１、２に接続される枝縄５は、連結具６から釣針７が取付けられた部分まで長く一体に形成されたものであり、途中で分離が困難であった。
【先行技術文献】
【特許文献】
【０００４】
【特許文献１】特開平７−２０３８１７号公報
【考案の概要】
【考案が解決しようとする課題】
【０００５】
本考案は上記事情に鑑みなされたもので、解決しようとする問題点は、釣作業中あるいは釣終了後の引上げ作業中等においても、互いに接続した幹縄１、２の接続状態を確実に維持でき、かつ釣作業終了後においては、接続状態から容易に分離することができる幹縄の連結具を提供することを目的とする。また、従来では、枝縄５は長く一体に形成されたものであったが、必要に応じて途中を簡単に分離できるとともに、釣作業中においては接続状態を確実に維持できる枝縄の連結具を提供することを目的とする。
【課題を解決するための手段】
【０００６】
上記目的を達成するために請求項１に記載の考案にあっては、釣作業用に使用する一方の幹縄の端部と他方の幹縄の端部とをそれぞれ巻き付け状態にした一方の幹縄連結部と他方の幹縄連結部とを互いに連結する幹縄の連結具において、前記一方の幹縄連結部を密着情態で保持する第１の幹縄密着部が形成されるとともに、該第１の幹縄密着部の反対側の表面に前記第１の幹縄連結部を装着する第１の幹縄保持部が形成されるとともに、前記他方の幹縄連結部を密着情態で保持する第２の幹縄密着部が形成されるとともに、該第２の幹縄密着部の反対側の表面に前記第２の幹縄連結部を装着する第２の幹縄保持部が形成されたことを特徴とするものである。
【０００７】
請求項２に記載の考案にあっては、前記第１の幹縄密着部及び第２の幹縄密着部は、金属板材により一体に形成され、前記第１の幹縄密着部は、前記第１の幹縄連結部１ａを一方の表面側で密着保持できる形状に形成され、前記第２の幹縄密着部は、前記第２の幹縄連結部２ａを一方の表面側で密着保持できる形状に形成されたことを特徴とするものである。
【０００８】
請求項３に記載の考案にあっては、前記第１の幹縄保持部は、前記第１の幹縄密着部が形成された側と反対側の表面に第１の幹縄連結部に装着可能に取付けられ、前記第２の幹縄保持部は、前記第２の幹縄密着部が形成された側と反対側の表面に第２の幹縄連結部に装着可能に取付けられたことを特徴とするものである。
【０００９】
請求項４に記載の考案にあっては、釣作業用に使用する幹縄に接続される枝縄であって、該枝縄の途中を連結状態で取付け及び取外し可能に形成した枝縄の連結具において、一方の第１の枝縄連結部を密着情態で保持する第１の枝縄密着部が形成されるとともに、該第１の枝縄密着部の反対側の表面に前記第１の枝縄連結部を装着する第１の枝縄保持部が形成されるとともに、前記他方の枝縄連結部を密着情態で保持する第２の枝縄密着部が形成されるとともに、該第２の枝縄密着部の反対側の表面に前記第２の枝縄連結部を装着する第２の幹縄保持部が形成されたことを特徴とするものである。
【００１０】
請求項５に記載の考案にあっては、前記第１の枝縄密着部及び第２の枝縄密着部は、金属板材により一体に形成され、前記第１の枝縄密着部は、前記第１の枝縄連結部を一方の表面側で密着保持できる形状に形成され、前記第２の枝縄密着部は、前記第２の枝縄連結部を一方の表面側で密着保持できる形状に形成されたことを特徴とするものである。
【００１１】
請求項６に記載の考案にあっては、前記第１の枝縄保持部は、前記第１の枝縄密着部が形成された側と反対側の表面に第１の枝縄連結部に装着可能に取付けられ、前記第２の枝縄保持部は、前記第２の枝縄密着部が形成された側と反対側の表面に第２の枝縄連結部に装着可能に取付けられたことを特徴とする特徴とするものである。
【考案の効果】
【００１２】
本考案の幹縄の連結具は、釣作業中あるいは釣作業終了後の引上げ作業中等においても、接続状態を確実に維持でき、かつ釣作業終了後においては、接続状態から容易に分離することができる幹縄の連結具を提供することを目的とする。また、必要に応じて途中を簡単に分離できるとともに、釣作業中においては接続状態を確実に維持できる枝縄の連結具を提供することを目的とする。
【図面の簡単な説明】
【００１３】
【図１】図１は幹縄の連結具を説明する斜視図である。
【図２】図２は幹縄の連結具を説明する平面図である。
【図３】図３は幹縄の連結具を説明する側面図である。
【図４】図４は幹縄を互いに連結した状態の幹縄の連結具を説明する斜視図である。
【図５】図５は釣作業の使用状態における互いに接続した幹縄と枝縄を説明する図である。
【図６】図６は枝縄の連結具を説明する斜視図である
【図７】図７は枝縄を互いに連結した状態の枝縄の連結具を説明する斜視図である。
【図８】図８は従来の幹縄の接続状態を説明する図である。
【図９】図９は従来の幹縄と枝縄を説明する図である。
【考案を実施するための形態】
【００１４】
以下、本考案を実施例により具体的に説明する。図１〜図５は本考案実施形態の幹縄の連結具を説明する図であり、図１は幹縄の連結具を説明する斜視図、図２は幹縄の連結具を説明する平面図、図３は幹縄の連結具を説明する側面図、図４は幹縄を互いに連結した状態の幹縄の連結具を説明する斜視図、図５は釣作業の使用状態における互いに接続した幹縄と枝縄を説明する図である。
【００１５】
この幹縄の連結具１０は、釣作業を行うときに連結すべき幹縄を互いに確実に連結でき、また釣作業が終了したときには、連結した幹縄を容易に外すことができるものである。この幹縄の連結具１０は、一方の幹縄１の端部側を、巻き付け状態に形成した第１の幹縄連結部１ａの端部側を、密着状態で連結する第１の幹縄取付部１１と、密着状態で他方の幹縄２の端部側を、巻き付け状態に形成した第２の幹縄連結部２ａの端部側を、連結する第２の幹縄取付部１２とが一体に形成されるとともに、それぞれの第１の幹縄１及び第２の幹縄２を外れることなく保持する幹縄保持部１３が形成されたものである。
【００１６】
この幹縄の連結具１０は、例えば、厚さが２ミリメートル程度の鉄板材料を使用して、一方側に第１の幹縄１の端部側の第１の幹縄連結部１ａを、密着状態で装着する第１の幹縄密着部１４，１４を形成するとともに、他方側に第２の幹縄２の端部側の第２の幹縄連結部２ａを、密着状態で装着する第２の幹縄密着部１５，１５を形成し、かつ装着した第１の幹縄１の端部側を保持する軸状に形成された第１の幹縄保持部１３ａと、装着した第２の幹縄２の端部側を保持する軸状に形成された第２の幹縄保持部１３ｂとを形成した幹縄保持部１３が取付けられたものである。本実施形態においては、第１の幹縄密着部１４，１４は、第１の幹縄連結部１ａ部分を密着保持できるように、鉄板の端部の一方側（図１においては上部側）に、向けて曲げられた状態に形成され、第２の幹縄密着部１５，１５は、第２の幹縄連結部２ａ部分を密着保持できるように、鉄板の端部の他方側（図１においては下部側）に向けて曲げられた状態に形成されている。
【００１７】
上記構成の幹縄の連結具１０では、釣作業をする場合には、幹縄保持部１３の一方の第１の幹縄保持部１３ａに第１の幹縄連結部１ａの一方側を挿入して取付け、この第１の幹縄連結部１ａの他方側を第１の幹縄密着部１４，１４に向けて挿入するとともに、その第１の幹縄連結部１ａの他方側を密着状態にして第１の幹縄連結部１４，１４に挿入して取付ける。次に、幹縄保持部１３の他方の第２の幹縄保持部１３ｂに第２の幹縄連結部２ａの一方側を挿入して取付け、この第２の幹縄連結部２ａの他方側を第２の幹縄密着部１５，１５に向けて挿入するとともに、その第２の幹縄連結部２ａの他方側を密着状態にして第２の幹縄密着部１５，１５に挿入して取付ける。以上の操作により、第１の幹縄連結部１ａと第２の幹縄連結部２ａとが接続された情態で保持される。このような操作により第１の幹縄１と第２の幹縄２とが連結状態となる。釣作業を行う場合には、接続すべき幹縄の端部にそれぞれ同様に形成された幹縄の連結具１０により連結情態として使用する。
【００１８】
上記の幹縄の連結具１０では、第１の幹縄１が第１の幹縄保持部１３ａに外れないように挿入情態で取付けられ、かつ第１の幹縄１の幹縄連結部１ａが第１の幹縄保持部１３ａと反対側に形成された第１の幹縄密着部１４，１４に挿入して取付けられ、また第２の幹縄２が第２の幹縄保持部１３ｂに外れないように挿入情態で取付けられ、かつ第２の幹縄２の幹縄連結部２ａが第２の幹縄保持部１３ｂと反対側に形成された第２の幹縄密着部１５，１５に挿入して取付けられるため、第１の幹縄１と第２の幹縄２とが引っ張られた状態になったとき、第１の幹縄１の巻き付け部分が第１の幹縄保持部１３ａに密着状態になるとともに、第２の幹縄２の巻き付け部分が第２の幹縄保持部１３ｂに密着状態になるとともに、第１の幹縄連結部１ａが幹縄密着部１４，１４に挿入された情態で保持されるとともに、第２の幹縄連結部２ａが幹縄密着部１５，１５に挿入された情態で保持されるために、第１の幹縄１と第２の幹縄２とが外れることなく確実に接続することができる。これにより、釣作業中において複数の幹縄を確実に連結させることができるとともに、釣作業中及び釣作業の終了後には幹縄の接続状態から容易に取り外すことが可能になる。
【００１９】
図６及び図７は本考案第２実施形態の枝縄を説明する図であり、図６は枝縄の連結具を説明する斜視図、図７は枝縄を互いに連結した状態を説明する斜視図である。
【００２０】
この枝縄の連結具２０は、例えば、厚さが２ミリメートル程度の鉄板材料を使用して、一方側に枝縄５の端部側の第１の枝縄連結部５ａを、密着状態で装着する第１の枝縄密着部２４，２４を形成するとともに、他方側に第２の枝縄５ｂの端部側の第２の枝縄連結部５ｂを、密着状態で装着する第２の幹縄密着部２５，２５を形成し、かつ装着した幹縄５の端部側を保持する軸状に形成された第１の枝縄保持部２３ａと、装着した第２の枝縄５の端部側を保持する軸状に形成された第２の枝縄保持部２３ｂとを形成した枝縄保持部２３が取付けられたものである。本実施形態においては、第１の枝縄密着部２４，２４は、第１の枝縄連結部５ａ部分を密着保持できるように、鉄板の端部の一方側（図６においては左側）に、向けて曲げられた状態に形成され、第２の枝縄密着部２５，２５は、第２の枝縄連結部５部分を密着保持できるように、鉄板の端部の他方側（図６においては左側）に向けて曲げられた状態に形成されている。
【００２１】
上記構成の枝縄の連結具２０では、釣作業をする場合には、枝縄保持部２３の一方の第１の枝縄保持部２３ａに第１の枝縄連結部５ａの一方側を挿入して取付け、この第１の枝縄連結部５ａの他方側を第１の枝縄密着部２４，２４に向けて挿入するとともに、その第１の枝縄連結部５ａの他方側を密着状態にして第１の枝縄密着部２４，２４に挿入して取付ける。次に、枝縄保持部２３の他方の第２の枝縄保持部２３ｂに第２の枝縄連結部５ｂの一方側を挿入して取付け、この第２の枝縄連結部５ｂの他方側を第２の枝縄密着部２５，２５に向けて挿入するとともに、その第２の枝縄連結部５ｂの他方側を密着状態にして第２の枝縄密着部２５，２５に挿入して取付ける。以上の操作により、第１の枝縄連結部５ａと第２の枝縄連結部５ｂとが接続された情態で保持される。このような操作により第１の枝縄５と第２の枝縄５とが連結状態となる。釣作業を行う場合には、接続すべき枝縄にそれぞれ同様に形成された枝縄により連結情態として使用する。
【００２２】
上記構成の枝縄の連結具２０では、釣作業をする場合には、枝縄保持部２３の一方の第１の枝縄保持部２３ａに第１の枝縄連結部５ａの一方側を挿入して取付け、この第１の枝縄連結部２３ａの他方側を第１の枝縄密着部２４，２４に向けて挿入するとともに、その第１の枝縄連結部５ａの他方側を密着状態にして第２の枝縄密着部２５，２５に挿入して取付ける。次に、枝縄保持部２３の他方の第２の枝縄保持部２３ｂに第２の枝縄連結部５ｂの一方側を挿入して取付け、この第２の枝縄連結部５ｂの他方側を第２の枝縄密着部２５，２５に向けて挿入するとともに、その第２の枝縄連結部５ｂの他方側を密着状態にして第２の枝縄密着部２５，２５に挿入して取付ける。以上の操作により、第１の枝縄連結部５ａと第２の枝縄連結部５ｂとが接続された情態で保持される。このような操作により分離された一方の枝縄５と他方の枝縄５とが連結状態となる。釣作業を行う場合には、接続すべき枝縄にそれぞれ同様に形成された枝縄の連結具２０により連結情態として使用する。これにより、釣作業中において接続される枝縄５の途中を確実に連結させることができるとともに、釣作業の終了後には枝縄５の途中を容易に取り外すことが可能になる。
【００２３】
上記の枝縄の連結具２０では、接続状態に形成された一方の枝縄５が第１の幹縄保持部２３ａに外れないように挿入情態で取付けられ、かつその一方の枝縄５の第１の枝縄連結部５ａが第１の枝縄保持部２３ａと反対側に形成された第１の枝縄密着部２４，２４に挿入して取付けられ、また他方の枝縄５が第２の枝縄保持部２３ｂに外れないように挿入情態で取付けられ、かつ第２の枝縄５の幹縄連結部５ｂが第２の幹縄保持部２３ｂと反対側に形成された第２の幹縄密着部２５，２５に挿入して取付けられるため、第１の枝縄５と第２の枝縄５とが引っ張られた状態になったとき、第１の枝縄５の巻き付け部分が第１の枝縄保持部２３ａに密着状態になるとともに、第２の枝縄５の巻き付け部分が第２の枝縄保持部２３ｂに密着状態になるとともに、第１の枝縄連結部２３ａが枝縄密着部２４，２４に挿入された情態で保持されるとともに、第２の枝縄連結部２３ｂが枝縄密着部２５，２５に挿入された情態で保持されるために、一方の幹縄５と他方の幹縄５とが外れることなく確実に接続することができる。これにより、釣作業中において複数の幹縄を確実に連結させることができるとともに、釣作業中及び釣作業の終了後には容易に取り外すことが可能になる。
【００２４】
以上説明したように、本考案の幹縄の連結具１０または枝縄の連結具２０では、釣作業中あるいは釣作業終了後の引上げ作業中等においても、互いに接続した第１の幹縄１と第２の枝縄２の接続状態を確実に維持でき、かつ釣作業終了後においては、接続状態から容易に分離することができる幹縄の連結具を提供することができる。また、従来では、枝縄５は長く一体に形成されたものであったが、必要に応じて途中を簡単に分離できるとともに、釣作業中においては接続状態を確実に維持できる。
【産業上の利用可能性】
【００２５】
釣作業中あるいは釣終了後の引上げ作業中等においても、互いに接続した幹縄の接続状態を確実に維持でき、かつ釣作業終了後においては、接続状態から容易に分離することができる幹縄の連結具を提供できる。また、枝縄の途中を簡単に分離できるとともに、釣作業中においては接続状態を確実に維持できる枝縄の連結具を提供できる。
【符号の説明】
【００２６】
１  第１の幹縄
１ａ  第１の幹縄連結部
２  第２の幹縄
２ａ  第２の幹縄連結部
３  結び部
５  枝縄
５ａ  第１の枝縄連結部
５ｂ  第２の枝縄連結部
６  連結具
７  釣針
１０  幹縄の連結具
１１  第１の幹縄連結部
１２  第２の幹縄連結部
１３  幹縄保持部
１３ａ  第１の幹縄保持部
１３ｂ  第２の幹縄保持部
１４  第１の幹縄密着取付部
１５  第２の幹縄密着取付部
２０  枝縄保持部
２１  第１の枝縄連結部
２２  第２の枝縄連結部
２３  枝縄保持部
２３ａ  第１の枝縄保持部
２３ｂ  第２の枝縄保持部
２４  第１の枝縄密着取付部
２５  第２の枝縄密着取付部
【図１】
0003159348.tif 000003
【図２】
0003159348.tif 000004
【図３】
0003159348.tif 000005
【図４】
0003159348.tif 000006
【図５】
0003159348.tif 000007
【図６】
0003159348.tif 000008
【図７】
0003159348.tif 000009
【図８】
0003159348.tif 000010
【図９】
0003159348.tif 000011
【手続補正書】
【提出日】平成22年2月17日(2010.2.17)
【手続補正１】
【補正対象書類名】実用新案登録請求の範囲
【補正対象項目名】請求項１
【補正方法】変更
【補正の内容】
【請求項１】
釣作業用に使用する一方の幹縄の端部と他方の幹縄の端部とをそれぞれ巻き付け状態にした一方の幹縄連結部と他方の幹縄連結部とを互いに連結する幹縄の連結具において、前記一方の幹縄連結部を密着情態で保持する第１の幹縄密着部が形成されるとともに、該第１の幹縄密着部の反対側の表面に第１の幹縄連結部を装着する第１の幹縄保持部が形成されるとともに、前記他方の幹縄連結部を密着情態で保持する第２の幹縄密着部が形成されるとともに、該第２の幹縄密着部の反対側の表面に第２の幹縄連結部を装着する第２の幹縄保持部が形成されたことを特徴とする幹縄の連結具。
【手続補正２】
【補正対象書類名】実用新案登録請求の範囲
【補正対象項目名】請求項４
【補正方法】変更
【補正の内容】
【請求項４】
釣作業用に使用する幹縄に接続される枝縄であって、該枝縄の途中を連結状態で取付け及び取外し可能に形成した枝縄の連結具において、一方の第１の枝縄連結部を密着情態で保持する第１の枝縄密着部が形成されるとともに、該第１の枝縄密着部の反対側の表面に前記第１の枝縄連結部を装着する第１の枝縄保持部が形成されるとともに、前記他方の枝縄連結部を密着情態で保持する第２の枝縄密着部が形成されるとともに、該第２の枝縄密着部の反対側の表面に第２の枝縄連結部を装着する第２の幹縄保持部が形成されたことを特徴とする枝縄の連結具。
【手続補正３】
【補正対象書類名】明細書
【補正対象項目名】０００６
【補正方法】変更
【補正の内容】
【０００６】
上記目的を達成するために請求項１に記載の考案にあっては、釣作業用に使用する一方の幹縄の端部と他方の幹縄の端部とをそれぞれ巻き付け状態にした一方の幹縄連結部と他方の幹縄連結部とを互いに連結する幹縄の連結具において、前記一方の幹縄連結部を密着情態で保持する第１の幹縄密着部が形成されるとともに、該第１の幹縄密着部の反対側の表面に第１の幹縄連結部を装着する第１の幹縄保持部が形成されるとともに、前記他方の幹縄連結部を密着情態で保持する第２の幹縄密着部が形成されるとともに、該第２の幹縄密着部の反対側の表面に第２の幹縄連結部を装着する第２の幹縄保持部が形成されたことを特徴とするものである。
【手続補正４】
【補正対象書類名】明細書
【補正対象項目名】０００９
【補正方法】変更
【補正の内容】
【０００９】
請求項４に記載の考案にあっては、釣作業用に使用する幹縄に接続される枝縄であって、該枝縄の途中を連結状態で取付け及び取外し可能に形成した枝縄の連結具において、一方の第１の枝縄連結部を密着情態で保持する第１の枝縄密着部が形成されるとともに、該第１の枝縄密着部の反対側の表面に前記第１の枝縄連結部を装着する第１の枝縄保持部が形成されるとともに、前記他方の枝縄連結部を密着情態で保持する第２の枝縄密着部が形成されるとともに、該第２の枝縄密着部の反対側の表面に第２の枝縄連結部を装着する第２の幹縄保持部が形成されたことを特徴とするものである。
【手続補正書】
【提出日】平成22年3月8日(2010.3.8)
【手続補正１】
【補正対象書類名】実用新案登録請求の範囲
【補正対象項目名】全文
【補正方法】変更
【補正の内容】
【実用新案登録請求の範囲】
【請求項１】
釣作業用に使用する一方の幹縄の端部と他方の幹縄の端部とをそれぞれ巻き付け状態にした一方の幹縄連結部と他方の幹縄連結部とを互いに連結する幹縄の連結具において、
前記一方の幹縄連結部を密着情態で保持する第１の幹縄密着部が形成されるとともに、該第１の幹縄密着部の反対側の表面に第１の幹縄連結部を装着する第１の幹縄保持部が形成されるとともに、前記他方の幹縄連結部を密着情態で保持する第２の幹縄密着部が形成されるとともに、該第２の幹縄密着部の反対側の表面に第２の幹縄連結部を装着する第２の幹縄保持部が形成されたことを特徴とする幹縄の連結具。
【請求項２】
前記第１の幹縄密着部及び第２の幹縄密着部は、金属板材により一体に形成され、前記第１の幹縄密着部は、前記第１の幹縄連結部を一方の表面側で密着保持できる形状に形成され、前記第２の幹縄密着部は、前記第２の幹縄連結部を一方の表面側で密着保持できる形状に形成されたことを特徴とする請求項１に記載の幹縄の連結具。
【請求項３】
前記第１の幹縄保持部は、前記第１の幹縄密着部が形成された側と反対側の表面に第１の幹縄連結部に装着可能に取付けられ、前記第２の幹縄保持部は、前記第２の幹縄密着部が形成された側と反対側の表面に第２の幹縄連結部に装着可能に取付けられたことを特徴とする請求項１記載の幹縄の連結具。
【請求項４】
釣作業用に使用する幹縄に接続される枝縄であって、該枝縄の途中を連結状態で取付け及び取外し可能に形成した枝縄の連結具において、
一方の第１の枝縄連結部を密着情態で保持する第１の枝縄密着部が形成されるとともに、該第１の枝縄密着部の反対側の表面に前記第１の枝縄連結部を装着する第１の枝縄保持部が形成されるとともに、他方の枝縄連結部を密着情態で保持する第２の枝縄密着部が形成されるとともに、該第２の枝縄密着部の反対側の表面に第２の枝縄連結部を装着する第２の枝縄保持部が形成されたことを特徴とする枝縄の連結具。
【請求項５】
前記第１の枝縄密着部及び第２の枝縄密着部は、金属板材により一体に形成され、前記第１の枝縄密着部は、前記第１の枝縄連結部を一方の表面側で密着保持できる形状に形成され、前記第２の枝縄密着部は、前記第２の枝縄連結部を一方の表面側で密着保持できる形状に形成されたことを特徴とする請求項４に記載の枝縄の連結具。
【請求項６】
前記第１の枝縄保持部は、前記第１の枝縄密着部が形成された側と反対側の表面に第１の枝縄連結部に装着可能に取付けられ、前記第２の枝縄保持部は、前記第２の枝縄密着部が形成された側と反対側の表面に第２の枝縄連結部に装着可能に取付けられたことを特徴とする請求項４記載の枝縄の連結具。
【手続補正２】
【補正対象書類名】明細書
【補正対象項目名】０００９
【補正方法】変更
【補正の内容】
【０００９】
請求項４に記載の考案にあっては、釣作業用に使用する幹縄に接続される枝縄であって、該枝縄の途中を連結状態で取付け及び取外し可能に形成した枝縄の連結具において、一方の第１の枝縄連結部を密着情態で保持する第１の枝縄密着部が形成されるとともに、該第１の枝縄密着部の反対側の表面に前記第１の枝縄連結部を装着する第１の枝縄保持部が形成されるとともに、他方の枝縄連結部を密着情態で保持する第２の枝縄密着部が形成されるとともに、該第２の枝縄密着部の反対側の表面に第２の枝縄連結部を装着する第２の枝縄保持部が形成されたことを特徴とするものである。